(57)【要約】【課題】符号割振りに関するアンテナヌルステアリング技法を使用して、所望のユーザのみに対して符号の相互相関特性を維持し、容量の改善を達成する。【解決手段】すでに割り振られた拡散符号を再使用するため、または同じセクタ／セル内ですでに使用されている符号と相関することのできる符号を使用するための、メカニズムを提供することにより、システム内で使用可能な拡散符号（ＣA、ＣB）の数を増やすための装置および方法を使用することによって、無線システムのユーザ数（ユーザＡ、ユーザＢ）およびデータ（ｄA、ｄB）容量（図１）が増加される。その代わりに、各セルについて追加された基地局（ＢＳ）アンテナ（１、２、３）の数に比例して、容量が改善される。符号割振りに関するアンテナヌルステアリング技法は、所望のユーザのみに対して符号の相互相関特性を維持し、容量改善における利得の取得を達成するものである。【選択図】図１
2008017508.tif 000002
【特許請求の範囲】
【請求項１】
特定のセルまたはセクタ内に置かれ、かつ３つのアンテナを有するアンテナアレーを介して前記リモート・ユーザに送信する基地局に対して異なる角度の方向に置かれる少なくとも２つのリモート・ユーザがそれぞれ、ｉ＝１、２である別個の通信データｄｉを少なくとも２つのリモート・ユーザに対して同時に送信する基地局から前記別個の通信を受信できるヌルビーム法であって、
前記基地局が、
（ａ）同一のまたは相関のある拡散符号の１つを、前記少なくとも２つのリモート・ユーザに送信される前記別個の通信データｄｉに同時に適用するステップと、
（ｂ）前記少なくとも２つのリモート・ユーザを対象とする通信データｄｉ（ｉ＝１，２）を第１および第２の異なる複素重みのセットを用いて変調するステップであって、前記セットの各々がＮ＝３である複素重みモジュレータＷｉ（ｉ＝１，２，３）を含み、各変調された信号が前記３つのアンテナの１つに向けられるステップと、
（ｃ）前記少なくとも２つのリモート・ユーザを対象とする前記変調されたデータ信号ｄ１、ｄ２を合計するステップと、
（ｄ）前記アンテナアレーから前記合計された信号を送信するステップと
を備え、
前記第１および第２の複素重みのセットの複素重みの各モジュレータは、前記アンテナアレーから前記少なくとも２つのリモート・ユーザの位置へのチャネルインパルス応答の機能であることを特徴とする方法。
【請求項２】
前記第１および第２の複素重みのセットの複素重みのモジュレータＷｉは、前記アンテナアレーにおける前記３つのアンテナのうちの特定の１つのアンテナにそれぞれ適用されることを特徴とする請求項１に記載の方法。
【請求項３】
前記ステップ（ｂ）は、前記複素重みを選択するステップを含み、
前記基地局から前記少なくとも２つのリモート・ユーザのうちの第１のリモート・ユーザに提供され、かつ第１のリモート・ユーザによって受信される前記通信データのパワーが最大になり、
前記少なくとも２つのリモート・ユーザのうちの第１のリモート・ユーザに提供され、かつ前記少なくとも２つのリモート・ユーザのうちの第２のリモート・ユーザによって前記基地局から受信される前記通信データのパワーが最小になることを特徴とする請求項１に記載の方法。
【請求項４】
前記最小化された通信データがヌルであることを特徴とする請求項３に記載の方法。
【請求項５】
前記ステップ（ｂ）は、前記複素重みを選択するステップを含み、
前記基地局から前記少なくとも２つのリモート・ユーザのうちの第２のリモート・ユーザに提供され、かつ前記第２のリモート・ユーザによって受信される前記通信データのパワーが最大になり、
前記少なくとも２つのリモート・ユーザのうちの第２のリモート・ユーザに提供され、かつ前記少なくとも２つのリモート・ユーザのうちの第１のリモート・ユーザによって前記基地局から受信される前記通信データのパワーが最小になることを特徴とする請求項３に記載の方法。
【請求項６】
前記最小化された通信データがヌルであることを特徴とする請求項５に記載の方法。
【請求項７】
前記基地局において前記アンテナを直線状に配置するステップをさらに含むことを特徴とする請求項１に記載の方法。
【請求項８】
前記基地局において前記アンテナを予め定められた距離だけ離して間隔をあけるステップをさらに含むことを特徴とする請求項７に記載の方法。
【請求項９】
前記基地局において前記アンテナを０．７５メートルの距離だけ離して間隔をあけるステップをさらに含むことを特徴とする請求項７に記載の方法。
【発明の詳細な説明】
【技術分野】
【０００１】
本発明は、無線通信の分野に関する。より具体的には、本発明は、無線システムのユーザ数ならびにデータ容量およびデータレートの増加に関する。さらに具体的に言えば、本発明は、システムのオペレーション中に、容量を増加させるため同一または相関のあるシグネチャを異なるユーザのために使用することができるシステムに関する。
【背景技術】
【０００２】
従来、符号分割多重接続（ＣＤＭＡ）システムの容量、セル内で同時にサポートされるユーザ数、およびユーザに割り振られるデータレートは、ユーザのシグネチャとして機能する拡散符号の可用性、ならびにそれらの相互相関特性（ｃｒｏｓｓ−ｃｏｒｒｅｌａｔｉｏｎ  ｐｒｏｐｅｒｔｉｅｓ）に依存する。１つの符号が１人のユーザに割り当てられた場合、その符号を同時に他の用途に使用することはできない。たとえ、干渉低減の手段としてビームステアリング（ビーム形成）を生成する複数の伝送アンテナを備えたシステムであっても、この規則が採用される。
【発明の開示】
【発明が解決しようとする課題】
【０００３】
現在のビームステアリング技術は、一定の容量拡張を達成することができるが、干渉を磁場内の特定の場所へ完全に除去することはできないため、（容量拡張の）結果はかなり制限される。さらに実施の観点から見ると、こうした多重アンテナシステムは非常に複雑となる。
【課題を解決するための手段】
【０００４】
したがって、本発明は、すでに割り振られた拡散符号を再使用すること、または同じセクタおよび／またはセル内ですでに使用されている符号と相関することのできる符号を使用することを可能にする機構を提供する。これに代えて、各セルについて追加された基地局アンテナの数に比例して、容量も改善される。本発明は、符号割振りに関するアンテナヌルステアリング技法を使用して、所望のユーザのみに対して符号の相互相関特性を維持し、容量の改善を達成するものである。
【０００５】
本発明は、同じ要素が同じ数字で示されている、添付の説明および図面を読めば理解されるであろう。
【発明を実施するための最良の形態】
【０００６】
本発明は、望ましくない干渉信号のパワーを抑制するための単一アンテナのヌルステアリング技法を使用し、これにより所望の受信機で同一または相関のある拡散符号を使用することができる。拡散符号は同時に再使用することができるため、システム全体の容量を増加させることができる。実装が単純かつ容易であることが、ヌルステアリング方式の１つの利点である。一方、実装が容易であることから、ヌルステアリング技法をビームステアリングと共に補足的な方法として使用して、システム容量をさらに改善することができる。
【０００７】
本概念においては、異なる拡散符合、ユーザ、およびアンテナを使用することができる。ただし本発明は、Ｎ＋１本のアンテナを使用しているＮ人のユーザに対して、同一または相関のある拡散符号を同時に使用して説明する。基地局ＢＳのＮ＋１本のアンテナが空間情報などのチャネル情報を使用して、所望の１つを除き、同一または相関する拡散符号によりすべてのユーザ位置でヌルを作成する。本概念について、Ｎ＝２であるものとして以下に示すが、ここでＮはユーザ数である。
【０００８】
２人のユーザの場合を考えてみる。このシステムが図１に示されており、ｉ＝１，２，３の場合、ｈiAおよびｈiBはそれぞれ、アンテナｉからユーザＡおよびユーザＢに対するチャネルインパルス応答を表す。ｄAおよびｄBはそれぞれ、ユーザＡおよびＢに伝送されたデータを示す。データｄAおよびｄBは、基地局でのデータ伝送以前に、同じかまたは相関のある符号｛ｃA（ｋ），ｋ＝１，２，．．．｝および｛ｃB（ｋ），ｋ＝１，２，．．．｝によって拡散されることに留意されたい。本発明者等の目的は、ユーザＢに対するどのような干渉も作らずにユーザＡに関する情報を伝送すると同時に、ユーザＡに対するどのような干渉も作らずにユーザＢに関する情報を伝送することである。この目的は、ＢＳからユーザＡへの複合チャネルインパルス応答を変更することによってユーザＢの位置でヌルを作成すること、ならびにＢＳからユーザＢへの複合チャネルインパルス応答（ｃｏｍｐｏｓｉｔｅ  ｃｈａｎｎｅｌ  ｉｍｐｕｌｓｅ  ｒｅｓｐｏｎｓｅ）を変更することによってユーザＡの位置でヌルを作成することによって達成される。本明細書では、複合チャネルインパルス応答は、ＢＳでのスプレッダ出力からアンテナユーザの受信機ユニットへの転送機能として定義される。
【０００９】
ユーザＢでヌルを作成するために、複素重み（ｃｏｍｐｌｅｘ  ｗｅｉｇｈｔ）Ｗ1A、Ｗ2A、およびＷ3Aを選択すると、その結果、基地局からユーザＡへの複合チャネルの利得は最大となり、基地局からユーザＢへの複合チャネルの利得は０となる。数学的に言えば、これは制約最適化（ｃｏｎｓｔｒａｉｎｔ  ｏｐｔｉｍｉｚａｔｉｏｎ）問題であり、以下のように表すことができる。
【００１０】
【数１】
2008017508.tif 000003
【００１１】
同様に、ユーザＡでヌルを作成するために、複素重みＷ1B、Ｗ2B、およびＷ3Bを選択すると、その結果、基地局からユーザＢへの複合チャネルの利得は最大となり、基地局からユーザＢへの複合チャネルの利得は０となる。数学的に言えば、これも同様の制約最適化問題であり、以下のように表すことができる。
【００１２】
【数２】
2008017508.tif 000004
【００１３】
上記の最適化問題は、容易に解決することができる。次に、一例として、数式１からＷ1A、Ｗ2A、およびＷ3Aを決定する方法を示す。第１に、数式１の制約から、以下のようにＷ3Aを選択する。
【００１４】
【数３】
2008017508.tif 000005
【００１５】
Ｗ3Aを適用すると、ユーザＡでの複合チャネルインパルス応答は以下のようになり、
Ｗ1Aｇ1＋Ｗ2Aｇ2
数式４
上式では、
【００１６】
【数４】
2008017508.tif 000006
【００１７】
である。
【００１８】
一般に、ｇiは複素数である。ｉ＝１，２の場合の
【００１９】
【数５】
2008017508.tif 000007
【００２０】
を定義するが、上式ではｉ＝１，２の場合にａi＞０である。さらに、以下を定義する。
【００２１】
【数６】
2008017508.tif 000008
【００２２】
基地局からユーザＡへの複合チャネルインパルス応答のチャネル利得は、
【００２３】
【数７】
2008017508.tif 000009
【００２４】
であることが示される。
【００２５】
最大問題利得に達するには、
θ2−θ1＋φ2−φ1＝０
数式７
としなければならないことが明らかである。
【００２６】
上式を満足させるための方法の１つは、以下を選択することである。
【００２７】
【数８】
2008017508.tif 000010
【００２８】
例えば、ｉ＝１，２，３およびｐ＝Ａ，Ｂの場合に、簡略化されたチャネルモデルを以下のように定義し、
【００２９】
【数９】
2008017508.tif 000011
【００３０】
上式で、Ｄipはユーザｐからアンテナｉまでの距離であり、λは波長であって、この例では０．１５ｍである。さらに、３本のアンテナはＯＸＹ平面内でＸ軸に沿って分配されており、隣接する２本のアンテナ間のスペースは０．７５ｍであり、アンテナ２はＯＸＹ平面の原点（Ｏ）に配置されているものと想定する。ユーザＡが（ｘＡ，ｙＡ）＝（−７０，２０）、ユーザＢが（ｘＢ，ｙＢ）＝（５０，５０）となる位置を選択する。これら２つの地点付近での複合チャネルパワープロフィル（ｐｏｗｅｒ  ｐｒｏｆｉｌｅ）（ｄＢ）は、それぞれ図２および図３に示されている。したがって、複素値Ｗ1A、Ｗ2A、およびＷ3Aを生成することによって、図１の例の所望のユーザＡは最大パワーでの通信を受け取る（図２）が、他のユーザのパワーはヌルとなる（図３）。
【図面の簡単な説明】
【００３１】
【図１】本発明の原理を具体化する処理ユニットを示す概略図である。
【図２】本発明の数式例に従って計算された、合成チャネルパワープロフィルを示す３次元図である。
【図３】本発明の数式例に従って計算された、合成チャネルパワープロフィルを示す３次元図である。
【図１】
2008017508.tif 000012
【図２】
2008017508.tif 000013
【図３】
2008017508.tif 000014